(57)【特許請求の範囲】
【請求項１】
反応チャンバーで半導体ウェファーを加工するのに使用する所定の化学種を生成させる装置において、化学発生装置における、複数の前駆物質から形成される遊離基供給源であって、同心のチューブから形成されるプラズマチャンバーを含み、該プラズマチャンバーのそれぞれは、前記複数の前駆物質のそれぞれに対応し、反応チャンバー及びその中の半導体ウェハーから独立している供給源、及び前記供給源からの遊離基を化合して前記ウェファーに極めて接近して前記反応チャンバーで所定の化学種を形成する手段であって、前記遊離基を化合する手段が触媒及び／又は冷却であることを特徴とし、前記遊離基供給源が、更に、最も外側のチューブの回りに同心に配置された誘導コイルと、該コイルにＲＦ力を適用するための手段とを含むことを特徴とする装置。
【請求項２】
所定の化学種を加工物が前記種で加工されるべき反応チャンバーで生成させる装置において、化学発生装置中の複数の前駆物質からの遊離基供給源であって、同心のチューブから形成されるプラズマチャンバーを含み、該プラズマチャンバーのそれぞれは、前記複数の前駆物質のそれぞれに対応し、該反応チャンバーから独立している供給源、及び前記反応チャンバーで供給源からの遊離基を化合して所定の化学種を形成する手段であって、前記遊離基を化合する手段が触媒及び／又は冷却であることを特徴とし、前記遊離基供給源が、更に、最も外側のチューブの回りに同心に配置された誘導コイルと、該コイルにＲＦ力を適用するための手段とを含むことを特徴とする装置。
【請求項３】
前記チューブが、第１プラズマチャンバーが形成される第１チューブと、該第１チューブを取り巻く第２チューブと、第１と第２のチューブとの間に形成された第２プラズマチャンバーと、第２チューブを取り巻く第３チューブと、第２及び第３チューブとの間に形成された第３プラズマチャンバーとを含む、請求項１又は２記載の装置。
【請求項４】
反応チャンバーで半導体ウェファーを加工するのに使用する所定の化学種を生成する方法において、複数の前駆物質のそれぞれを遊離基供給源中の同心のチューブから形成されるプラズマチャンバーのそれぞれに対応して導入する工程であって、該供給源が、該反応チャンバー及びその中の半導体ウェファーから独立している工程、該プラズマチャンバー中でイオン化ガスプラズマを形成して該前駆物質から遊離基を作る工程、及び前記遊離基を化合して、前記反応チャンバー内で前記ウェファーに極めて接近して、所定の化学種を形成する工程であって、該前駆物質を選択して所定の化学種を形成するのに必要な全ての遊離基を製造する工程を特徴とし、前記プラズマが、最も外側のチューブの回りに同心に配置された誘導コイルにＲＦ力を適用することによって形成された場で形成されることを特徴とする方法。
【請求項５】
所定の化学種を加工物が前記化学種で加工されるべき反応チャンバーで生成する方法において、複数の前駆物質のそれぞれを遊離基供給源中の同心のチューブから形成されるプラズマチャンバーそれぞれに対応して導入する工程であって、該供給源が、反応チャンバーから独立している工程、該プラズマチャンバー中でイオン化ガスプラズマを形成し、該前駆物質から遊離基を作る工程、及び前記遊離基を化合して反応チャンバーで所定の化学種を形成する工程であって、該前駆物質を選択して所定の化学種を形成するのに必要な全ての遊離基を製造することを特徴とし、前記プラズマが、最も外側のチューブの回りに同心に配置された誘導コイルにＲＦ力を適用することによって形成された場で形成されることを特徴とする方法。
【請求項６】
前記遊離基を化合する工程が、前記所定の化学種の形成を促進するために前記遊離基を冷却する工程を含む、請求項４又は５記載の方法。
【請求項７】
前記遊離基を化合する工程が、前記所定の化学種の形成を促進する触媒の使用を含む、請求項４又は５記載の方法。
【請求項８】
反応チャンバーで所定の化学種を生成する方法において、複数の前駆物質のそれぞれを遊離基供給源中の同心のチューブから形成されるプラズマチャンバーのそれぞれに対応して導入する工程であって、該供給源が、該反応チャンバーから独立している工程、該プラズマチャンバー中でイオン化ガスプラズマを形成し、該前駆物質から遊離基を製造する工程、及び前記遊離基を化合して反応チャンバーで該所定の化学種を形成する工程であって、該前駆物質を選択して該所定の化学種を形成するのに必要な全ての遊離基を製造することを特徴とし、前記プラズマが、最も外側のチューブの回りに同心に配置された誘導コイルにＲＦ力を適用することによって形成された場で形成されることを特徴とする方法。
【請求項９】
窒素及び酸素の遊離基が、前駆物質の気体から得られ、化合して、ＮxＯy（ｘ及びｙは、正の整数）を形成する、請求項８記載の方法。
【請求項１０】
ＮＯが、チャンバーの中にＮ2及びＯ2の遊離基を入れることによって形成され、かつチャンバー中でプラズマをたたくことによってＮ2とＯ2を化合して、ＮＯを形成する、請求項８記載の方法。
【請求項１１】
窒素及び水素の遊離基が、アンモニア（ＮＨ3）から得られ、酸素と化合する、請求項８記載の方法。
【請求項１２】
Ｏ2が、ＳＯ2と化合して、ＳＯ3を形成する、請求項８記載の方法。
【請求項１３】
ポリシリコンが、シラン（ＳｉxＨy）単独及び水素との化合におけるシランからなる群より選ばれる前駆物質から形成される、請求項８記載の方法。
【請求項１４】
窒化珪素が、シラン（ＳｉxＨy）前駆物質及び窒素含有種から形成される、請求項８記載の方法。
【請求項１５】
ＭＸm前駆物質（Ｍは、金属、Ｘは、ハロゲン種、及びｍは、化学量数）が、金属フィルムの形成に使用される、請求項８記載の方法。
【請求項１６】
前記ＭＸm前駆物質が、還元種の存在下で使用される、請求項１５記載の方法。
【請求項１７】
Ｈ2及びＯ2が、反応して、フォトレジストの剥離に使用する蒸気を生じる、請求項８記載の方法。
【請求項１８】
ＨＦ、Ｈ2ＳＯ4及びＨＮＯ3からなる群から選ばれる酸が、現場で生成され、前記蒸気と化合される、請求項１７記載の方法。
【請求項１９】
Ｏ2が、ＳＯ2と化合され、有機フォトレジストの剥離に使用するＳＯ3を形成する、請求項８記載の方法。
【請求項２０】
Ｎ2Ｏが、フォトレジストの剥離に使用するＮＯ2に転換される、請求項８記載の方法。
【請求項２１】
Ｎ2Ｏが、酸化物フィルムを窒化してイオン透過に対してバリヤーとして作用するのに使用するＮＯ及びＮＯ2に転換される、請求項８記載の方法。
【請求項２２】
ＭＸm前駆物質（Ｍは、金属、Ｘは、ハロゲン種、及びｍは、化学量数）が、金属酸化物フィルムの形成において酸化種の存在下で使用される、請求項８記載の方法。
【請求項２３】
前記酸化種が、Ｏ2及びＨ2Ｏ及びこれらの組合せからなる群より選ばれる、請求項２２記載の方法。
【請求項２４】
Ｈ2及びＯ2が、反応して、Ｓｉ上にＳｉＯ2層を成長させる蒸気を形成する、請求項８記載の方法。
【請求項２５】
ポリシリコンが、シラン（ＳｉxＨy）前駆物質、水素を含む種、及びこれらの組合せからなる群のいずれか１つから形成される、請求項８記載の方法。
【発明の詳細な説明】
【０００１】
本発明は、一般的に、半導体デバイスの製作に関し、更に詳細には、多様な材料及び層の析出、エッチング、クリーニング及び成長での重要な化学種を生成するための方法と装置に関する。
一般的に、本発明の目的は、使用されるべき場所で又はその場所の近くで、新しい、改善された化学発生装置及び化学種を生成する方法を提供することである。
本発明の別の目的は、半導体デバイスの作製に使用する化学種を生成するのに特に適切な、上記特徴の化学発生装置及び方法を提供することである。
これら及びその他の目的は、半導体ウェファーのような加工物が加工処理されるべき反応器のチャンバーのような使用点で化学種を生成する化学発生装置及び方法を提供することによって、本発明に従って達成される。
【０００２】
図１は、本発明を具体化した、現場での化学発生装置の一態様の概略図である。
図２は、図１の線２−２に沿って取られた、拡大された断面図である。
図１に説明されるように、化学発生装置は、遊離基を形成し、安定な種に再結合するために遊離基が運ばれる１以上のチャンバーを有する遊離基供給源１１を含む。説明された態様において、供給源は、伸長され、かつ同心のチューブ１２−１４によって形成された３つのチャンバーを有する。それらのチャンバーは、最も外側のチューブ１２と真中のチューブ１３との間の第１環状チャンバー１６と、真中のチューブ１３と最も内側のチューブ１４との間の第２環状チャンバー１７と、最も内側のチューブの内部の第３チャンバー１８とを含む。チューブは、セラミック、石英又は金属のような材料で製作される。
発生装置に求められるチューブの数は、生成される化学種及び形成される反応に依存し、通常分れたチャンバーを有するが、必然的ではなく、その工程に使用されるべき遊離基の各タイプに対して提供される。
遊離基が形成される気体又は他の前駆物質化合物は、供給源２１−２３から又は他の適切な手段によってチャンバーの中へ導入される。このような前駆物質は、気体、液体及び/又は固体の形、又はこれらの組合せで可能である。
プラズマは、遊離基を形成するチャンバーで形成され、説明された態様において、プラズマを生成する手段は、チューブの回りに同心に配置された誘導コイル２６、整合ネットワーク２８によってコイルに接続された高周波（ＲＦ）力発生装置２７、及びプラズマを点火するアークをたたくためのテスラ（Ｔｅｓｌａ）コイル２９を含む。しかしながら、プラズマは、ＲＦ電極又はマイクロ波のような、その他の適切な手段によって形成されることもできる。
チューブの下流で、遊離基は、所望の種を形成するために再結合される。説明された態様において、再結合は、半導体ウェファー３３が加工されている反応器３２の一部であるチャンバー３１で起こる。再結合は、例えば、冷却３６及び/又は触媒３７の使用による、適切な方法によって促進され得る。
冷却は、多くの方法で達成され、例えば、チューブを通る不活性ガス、液体窒素、液体ヘリウムや冷却水のような冷却剤の循環又は反応気体との熱交換関係における他の適切な手段を含む。また、冷却は、気体の温度を低くする伸長ノズルに気体を通すことにより、又は収束して、続いてプラズマを広げて温度を低くする永久磁石又は電磁石のいずれかを使用することによって、達成できる。
触媒は、冷却領域又はその下流のどちらかに配置され得る。例えば、反応気体が通るチャンバー又はチューブの壁に置かれた薄いフィルム、気体の流れに置かれたガーゼ、又は包まれたベッドの形態で可能である。重要なことは、触媒は、気体のすべてが触媒の表面に接触して、触媒と反応できるような方法で、位置を定められることである。
【０００３】
もし望むのであれば、光学発光分光計のようなモニタリング装置を、種のプロフィール及び蒸気の発生のようなモニタリングパラメータに提供できる。
説明された態様において、化学発生器は、反応器の一部であり、製造される種は、加工されるウェファーに極めて接近して形成される。それは、発生装置の好ましい適用であるが、また、独立型の適用にも使用され得る。新しい反応器の肝要な部分として又は独立型のシステムとして構成されるのはもちろん、現存する加工反応器に加えることができる。
発生装置は、半導体デバイスの製造に使用する異なる種の生成における広範な多様の適用に使用されることができ、幾つかの例が以下に与えられる。
【０００４】
酸化
以下の反応
Ｓｉ＋Ｈ2Ｏ→ＳｉＯ2＋Ｈ2
に従ってＳｉＯ2を生成する湿式酸化工程で使用する蒸気を、プラズマ生成チャンバーのひとつにＨ2及びＯ2を入れることによって、本発明に従って生成できる。プラズマをたたくと、Ｈ2及びＯ2が反応して、シリコンウェファーに極めて接近して蒸気を形成する。もし望むのであれば、単独で又はＮ2及び/又はＡｒと一緒にいれた酸素を、酸化の温度を低くすること及び/又はデバイスの特徴を改善するためにオゾン（Ｏ3）を生成するのに使用できる。
硼素に対するバリアとして機能する、シリコンとシリコン酸化物との間の界面の改善によって、Ｏ2でのシリコンの酸化におけるＮＯの使用がトランジスタのデバイスの特徴を改善できることが知られる。因襲的に、ＮＯを、シリンダーのような供給源から反応器チャンバーに供給し、またＮＯは毒なので、反応器に供給源を接続するガスラインの漏れを避けるための特別な予防措置を取るべきである。また、ＮＯガスの純度は、シリコンとシリコン酸化物との間に形成される界面の最終品質に重要な要素であるが、極度の純粋なＮＯを製造することは難しい。
【０００５】
本発明で、チャンバーの１つにＮ2及びＯ2を入れて、プラズマをたたくことによって、以下の反応
Ｎ2＋Ｏ2→２ＮＯ
を通る使用点で、高純粋ＮＯを作ることができる。プラズマをたたくと、Ｎ2及びＯ2が化合して、ウェファーに極めて接近してＮＯを形成する。従って、ＮＯは、必要なときにだけ生成することができ、使用点に正し、それによって、高くて潜在的に有害なガスラインの必要を除去できる。
また、Ｎ2Ｏのような、窒素と酸素のみを含む分子の分解のような他の反応によって、ＮＯを生成することができる。単独で又はＯ2と一緒にＮＯ2をプラズマチャンバーに入れることによって、ＮＯを生成する。もし望むのであれば、Ａｒのようなガスを、プラズマの促進形成のためにキャリアガスとして使用できる。
【０００６】
Ｎ2Ｏに少量のＯ2を添加してＮＯ2を形成することによって、Ｎ2Ｏを分解でき、次にＮＯとＯ2に分離する。温度がＮＯ2をＮＯとＯ2とに完全に分離する温度（６２０℃）よりも高い迅速熱加工チャンバー及び拡散炉において、ＮＯ2の添加は、窒素が硼素拡散のバリアとして補助することが見出されたゲート適用におけるシリコンの酸化を補助するであろう。６５０℃よりも低い温度で、ＮＯとＯ2へのＮＯ2の転換を促進するのに触媒を使用できる。もし望むのであれば、水蒸気又は適当な割合で追加のＨ2とＯ2とを添加することによって、硝酸を生成できる。
同様に、ＮＨ3及びＯ2を、プラズマチャンバーで化合することができ、以下の反応
ＮＨ3＋Ｏ2→ＮＯ＋Ｈ2Ｏ
を通して使用点でＮＯと蒸気とを生成できる。
これらの２つの試薬ガスを使用することによって、湿式酸化工程におけるＮＯの効力を真似ることができる。
【０００７】
酸化工程で塩素を含むことがしばしば望まれるが、好ましくない外来性の汚染物質を除くだけでなく、酸化を高めることが分っているからである。ＴＣＡやＤＣＥのような塩素供給源の使用で、Ｏ2の存在下で完全な燃焼を成し遂げることができ、ＨＣｌ＋Ｈ2Ｏ＋ＣＯ2を生じる。また、Ｈ2及びＯ2と一緒に塩素だけを使用することにより、ＨＣｌ及びＨ2Ｏを生じる。ＴＣＡ又はＤＣＥを酸化工程で使用する場合、７００℃よりも高い温度で完全に酸化されて、以下のような反応でＨＣｌ及び二酸化炭素を形成する。
Ｃ2Ｈ3Ｃｌ3＋２Ｏ2→２ＣＯ2＋３ＨＣｌ
Ｃ2Ｈ2Ｃｌ2＋２Ｏ2→２ＣＯ2＋２ＨＣｌ
ＨＣｌは、更に、平衡反応で酸化される。
４ＨＣｌ＋Ｏ2→２Ｈ2Ｏ＋Ｃｌ2
【０００８】
上昇した温度における酸素での様々な有機塩化物の分解は、例えばシリコン加工における、その後の反応のための塩素と酸素とを含む試薬を提供する。このような分解は、一般的に以下の形式
ＣxＨyＣｌy＋ｘＯ2→ｘＣＯ2＋ｙＨＣｌ
であり、ここで、ｘ及びｙは、典型的に２、３又は４である。
前述の反応のすべてを、大気中又は大気より低いいずれかの条件下で実施し、また生成物を、白金のような触媒で、または触媒無しで生成することができる。本発明は、また、炉の石英チューブのクリーニングや、石英又はシリコン酸化物層からの窒化物又はポリシリコンフィルムの選択的エッチング又は剥離に使用できる。これは、フレオンガス又は液のようなフッ素及塩素を含む反応物、即ち、ＣxＨyＦzＣｌqを入れることによって、成し遂げられ、ここで、
ｘ＝１、２、・・・・
ｙ＝０、１、・・・・
ｚ＝０、１、・・・・
ｑ＝０、１、・・・・
であり、フッ素の量は、塩素の量と同じかそれよりも多い。また、窒化物又はポリシリコン層の効果的な剥離を提供する割合で、フッ化ガス（例えば、ＣＨＦ3、ＣＦ4、など）と塩素化液体（例えば、ＣＨＣｌ3、ＣＣｌ4、など）との混合物を使用することができる。
【０００９】
誘電性フィルム
他の誘電性フィルムを、適切な前駆物質ガスから形成できる。ＳｉＨ4及びＨ2、又はシラン単独を使用して、ポリシリコンを形成できる。シランを、核形成及び粒子形成を避けるために、発生装置の下流に導入してもよい。
シラン（ＳｉＨ4）と一緒のＮＨ3又はＮ2、又はＳｉ2Ｈ6のようなより高いシランの１つを使用することによって、シリコン窒化物を形成できる。シランを、核形成及び粒子形成を避けるために、発生装置の下流に導入することができる。
ガスに加えて、化学発生装置は、出発材料として液体及び固体の使用も可能であり、ＴＥＯＳのような前駆物質を、相似被覆の形成に使用できる。オゾン及びＴＥＯＳは、均一な層の析出に対する有効な混合物であることが見出されている。
【００１０】
金属及び金属酸化物フィルム
金属及び金属酸化物フィルムを、本発明による様々な前駆物質を経て、析出できる。例えば、記憶装置に広範囲に使用されるＴａ2Ｏ5フィルムを、ＴａＣｌ5の還元を経て、続いて、ＴａＣｌ5の酸化によってＴａ2Ｏ5を形成する、ＴａＣｌ5のような前駆物質を生成することによって形成できる。より一般的な理解において、Ｔａ2Ｏ5が生成される前駆物質を、ＴａＸmとして表すことができ、ここで、Ｘは、ハロゲン種であり、ｍは、化学量数である。
以下の反応
ＣｕＣｌ2＋Ｈ2→Ｃｕ＋ＨＣｌ
を通して、フィルム又は酸化物として銅を析出でき、また他の金属を、同じ方法で形成できる。ガス状の前駆物質の代わりに、銅や別の金属のような固体の前駆物質も使用できる。
【００１１】
ウェファー及びチャンバーのクリーニング
本発明で、前の工程段階からの有機残留物を、有機汚染物質の除去にかなり効果的なオゾンを形成するためのＯ2を使用することによって効果的に除去できる。加えて、Ｈ2を過剰なＯ2と反応させることによって、他の酸素遊離基、有機残留物の排除に効果的な遊離基のすべてと同様、蒸気とＯ2とを生成する。チャンバーの温度は、クリーニング工程の間、酸化物の形成を防ぐために、ウェファーが存在するならば約７００℃よりも低くすべきである。
また、一般的なウェファークリーニングに使用する硫酸、硝酸及びフッ化水素酸を、本発明で効果的に生成する。硫酸（Ｈ2ＳＯ）を、以下のような反応に従って、Ｓ、ＳＯ又はＳＯ2のいずれかを、Ｈ2及びＯ2と反応させることによって生成する。
Ｓ＋２．５Ｏ2＋２Ｈ2→Ｈ2ＳＯ4＋Ｈ2Ｏ
ＳＯ＋１．５Ｏ2＋Ｈ2→Ｈ2ＳＯ4
ＳＯ2＋１．５Ｏ2＋２Ｈ2→Ｈ2ＳＯ4＋Ｈ2Ｏ
次に、このように触媒あり又は無しで形成される遊離基を迅速に冷却する。
ＮＨ3をＨ2及びＯ2と反応させることによって又は以下のような反応によって、硝酸（ＨＮＯ3）を生成する。
Ｎ2＋３．５Ｏ2＋Ｈ2→２ＨＮＯ3＋Ｈ2Ｏ
ＮＨ3＋２Ｏ2→２ＨＮＯ3＋Ｈ2Ｏ
Ｈ2及びＯ2を、ＮＦ3又はＣxＨyＦzのようなフッ素を含む化合物と共反応させることによってフッ化水素酸を生成し、ここで、
ｘ＝１、２、・・・・
ｙ＝０、１、・・・・
ｚ＝１、２、・・・・
である。
以下のような反応によって、一つの前駆物質から混酸を生成できる。
ＳＦ6＋４Ｈ2＋２Ｏ2→Ｈ2ＳＯ4＋６ＨＦ
ＮＨ2＋Ｈ2＋１．５Ｏ2→ＨＮＯ3＋ＨＦ
２ＮＨＦ＋Ｈ2＋３Ｏ2→２ＨＮＯ3＋２ＨＦ
ＮＦ3Ｏ＋２Ｈ2＋Ｏ2→ＨＮＯ3＋３ＨＦ
ＮＦ2Ｃｌ＋２Ｈ2＋１．５Ｏ2→ＨＮＯ3＋２ＨＦ＋ＨＣｌ
Ｎ2Ｆ4＋３Ｈ2＋３Ｏ2→２ＨＮＯ3＋４ＨＦ
Ｎ2Ｆ4＋２Ｈ2＋３Ｏ2→２ＨＮＯ3＋２ＨＦ
ＮＦ3＋２Ｈ2＋１．５Ｏ2→ＨＮＯ3＋３ＨＦ
ＮＦ2＋１．５Ｈ2＋１．５Ｏ2→ＨＮＯ3＋２ＨＦ
ＮＦ＋Ｈ2＋１．５Ｏ2→ＨＮＯ3＋ＨＦ
ＮＳ＋１．５Ｈ2＋３．５Ｏ2→ＨＮＯ3＋Ｈ2ＳＯ4
２Ｎ2ＯＦ＋２Ｈ2＋Ｏ2→２ＨＮＯ3＋２ＨＦ
ＮＯＦ3＋２Ｈ2＋Ｏ2→ＨＮＯ3＋３ＨＦ
ＮＯＦ＋Ｈ2＋Ｏ2→ＨＮＯ3＋ＨＦ
ＮＯＣｌ＋Ｈ2＋Ｏ2→ＨＮＯ3＋ＨＣｌ
ＮＯＢｒ＋Ｈ2＋Ｏ2→ＨＮＯ3＋ＨＢｒ
ＮＯ2Ｃｌ＋２Ｈ2＋Ｏ2→２ＨＮＯ3＋ＨＣｌ
Ｓ2Ｆ10＋７Ｈ2＋４Ｏ2→Ｈ2ＳＯ4＋１０ＨＦ
Ｓ2Ｆ2＋３Ｈ2＋４Ｏ2→Ｈ2ＳＯ4＋２ＨＦ
ＳＦ＋１．５Ｈ2＋２Ｏ2→Ｈ2ＳＯ4＋ＨＦ
ＳＦ2＋２Ｈ2＋２Ｏ2→Ｈ2ＳＯ4＋２ＨＦ
ＳＦ3＋２．５Ｈ2＋２Ｏ2→Ｈ2ＳＯ4＋３ＨＦ
ＳＦ4＋３Ｈ2＋２Ｏ2→Ｈ2ＳＯ4＋４ＨＦ
ＳＦ5＋３．５Ｈ2＋２Ｏ2→Ｈ2ＳＯ4＋５ＨＦ
ＳＦ6＋４Ｈ2＋２Ｏ2→Ｈ2ＳＯ4＋６ＨＦ
ＳＢｒＦ5＋４Ｈ2＋２Ｏ2→Ｈ2ＳＯ4＋５ＨＦ＋ＨＢｒ
Ｓ2Ｂｒ2＋３Ｈ2＋４Ｏ2→２Ｈ2ＳＯ4＋２ＨＢｒ
ＳＢｒ2＋２Ｈ2＋２Ｏ2→Ｈ2ＳＯ4＋２ＨＢｒ
ＳＯ2Ｆ2＋２Ｈ2＋Ｏ2→Ｈ2ＳＯ4＋２ＨＦ
ＳＯＦ4＋３Ｈ2＋１．５Ｏ2→Ｈ2ＳＯ4＋４ＨＦ
ＳＯＦ2＋２Ｈ2＋１．５Ｏ2→Ｈ2ＳＯ4＋２ＨＦ
ＳＯＦ＋１．５Ｈ2＋１．５Ｏ2→Ｈ2ＳＯ4＋ＨＦ
ＳＯ2ＣｌＦ＋２Ｈ2＋Ｏ2→Ｈ2ＳＯ4＋ＨＦ＋ＨＣｌ
ＳＯＣｌ2＋２Ｈ2＋１．５Ｏ2→Ｈ2ＳＯ4＋２ＨＣｌ
ＳＯＣｌ＋１．５Ｈ2＋１．５Ｏ2→Ｈ2ＳＯ4＋ＨＣｌ
ＳＯＢｒ2＋２Ｈ2＋１．５Ｏ2→Ｈ2ＳＯ4＋２ＨＢｒＣｌ
ＳＦ2Ｃｌ＋２．５Ｈ2＋２Ｏ2→Ｈ2ＳＯ4＋２ＨＦ＋ＨＣｌ
ＳＣｌＦ5＋４Ｈ2＋２Ｏ2→Ｈ2ＳＯ4＋５ＨＦ＋ＨＣｌ
ＳＯ2Ｃｌ2＋２Ｈ2＋Ｏ2→Ｈ2ＳＯ4＋２ＨＣｌ
Ｓ2Ｃｌ＋２．５Ｈ2＋４Ｏ2→２Ｈ2ＳＯ4＋ＨＣｌ
ＳＣｌ2＋２Ｈ2＋２Ｏ2→Ｈ2ＳＯ4＋２ＨＣｌ
これらは、本発明に従って生成され得る混酸による多くの反応の幾つかの例にすぎない。反応においてより多くのＨ2及びＯ2を含むことによって、酸の混合物に加えて、生成すべき蒸気ができる。
ＨＣｌ、ＨＦ、Ｈ2ＳＯ4又はＨＮＯ3の反応の様々な合成された生成物を脱蔵（ｄｅｖｏｌｉｔｉｚｅ）するため、Ｈ2Ｏ又はＨ2のいずれか及びＯ2を同時注入して蒸気を形成することができるので、水の溶媒和の作用は、生成物中の溶液に分散する。水の温度は、水の薄膜をウェファー表面で濃縮するのに十分に冷たくしなければならない。水の温度を上げることによって、水溶液を蒸発させ、ウェファーを回転することによって、更に、除去工程を補助するだろう。
【００１２】
本来の酸化物の除去
シリコンウェファーが大気にさらされている場合に存在する本来の酸化物を、ＨＦと、ＮＦ3又はＣＦ4のようなフッ素供給源を試薬ガスＨ2及びＯ2に添加することによって形成される蒸気との化合によって選択的に排除できる。最も効果的である本来の酸化物の排除のために、反応チャンバーを１気圧よりも低い圧力に維持すべきである。
【００１３】
フォトレジストの剥離
また、Ｈ2及びＯ2を反応させて、集積回路の製造においてシリコンウェファーのパターニングに一般的に使用されるフォトレジストの剥離に使用される蒸気を形成することができる。加えて、本発明で生成もされる、ＨＦ、Ｈ2ＳＯ4及びＨＮＯ3のような他の成分を、蒸気との化合を変えるのに使用でき、ウェファー表面からフォトレジストを効果的に除去できる。また、ビアスにおける（ｉｎ  Ｖｉａｓ）残留物と同様、固く植え付けられたフォトレジストを、これらの酸と化合した蒸気で除去することができる。
有機フォトレジストの剥離に使用するＳＯ3を、Ｏ2をＳＯ2に添加することによって生成できる。同様に、上で論じたように、Ｎ2Ｏを、ＮＯ2、即ちフォトレジストの剥離に使用することもできる強酸化剤に転換することができる。
フォトレジストの剥離に使用するフッ化水素酸を、以下の反応のいずれかに従って、現場で生成することができる。
ＣＦ4＋２Ｈ2＋Ｏ2→ＣＯ2＋４ＨＦ
ＣＦ4＋１．５Ｏ2＋３Ｈ2→ＣＯ2＋４ＨＦ＋Ｈ2Ｏ
ＮＦ3＋Ｏ2＋５Ｈ2→Ｎ2＋６ＨＦ＋２Ｈ2Ｏ
【００１４】
新しく、改良された化学発生装置及び方法が提供されることは、前述のことから明らかである。一定の現在の好ましい態様だけが詳細に述べられている一方、当業者に明らかであり、前述のクレームによって規定される本発明の範囲から外れることなく、一定の変更及び変形をすることができる。
【図１】
0004832643.tif 000002